【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
１つまたは複数のタイプのメモリと通信状態にあるプロセッサを備える、ウェアラブル・デバイスにおける生理学的感知のための処理システムであって、
前記プロセッサが、ユーザのための多面的フィードバックを生成するように構成され、前記多面的フィードバックを生成することが、
ユーザのためのベースライン生理学的サンプリング・スケジュールを生成すること、
前記ユーザの品質を意識したフィードバックを生成すること、
前記ユーザのユーザ状態を意識したフィードバックを生成すること、および
前記ユーザのコンテキストを意識したフィードバックを生成することを備え、前記プロセッサが、少なくとも部分的に前記多面的フィードバックに基づいて、前記ユーザのための調整された生理学的サンプリング・スケジュールを生成するようにさらに構成される、処理システム。
【請求項２】
前記多面的フィードバックを生成することが、前記ユーザのエネルギーを意識したフィードバックを生成することを備える、請求項１に記載の処理システム。
【請求項３】
前記品質を意識したフィードバックを生成することが、
前記ウェアラブル・デバイス上の生理学的センサから活性表示を受信すること、
前記ウェアラブル・デバイスからリアルタイムの低電力動きセンサ・データを受信すること、
前記リアルタイムの低電力動きセンサ・データに基づいて前記生理学的センサに関する干渉レベル推定を生成すること、および
前記干渉レベル推定を干渉閾値と比較することを備える、請求項１または２に記載の処理システム。
【請求項４】
前記プロセッサが、前記比較に応答して生理学的感知を低減するようにさらに構成される、請求項３に記載の処理システム。
【請求項５】
前記ユーザ状態を意識したフィードバックを生成することが、
ベースライン・ユーザ状態緊急性判定を受信すること、
前記ウェアラブル・デバイスの生理学的センサから生理学的データを受信すること、
少なくとも部分的に前記生理学的データに基づいてユーザ状態緊急性判定を生成すること、および
前記ユーザ状態緊急性判定を前記ベースライン・ユーザ状態緊急性判定と比較することを備える、請求項１ないし４のいずれかに記載の処理システム。
【請求項６】
前記プロセッサが、前記比較に応答して生理学的感知頻度または生理学的感知持続時間を変更するようにさらに構成される、請求項５に記載の処理システム。
【請求項７】
前記コンテキストを意識したフィードバックを生成することが、
ベースライン・コンテキスト・ベースの緊急性判定を受信すること、
コンテキスト・データを受信すること、
少なくとも部分的に前記生理学的データに基づいてコンテキスト・ベースの緊急性判定を生成すること、および
前記コンテキスト・ベースの緊急性判定を前記ベースライン・コンテキスト・ベースの緊急性判定と比較することを備える、請求項１ないし６のいずれかに記載の処理システム。
【請求項８】
ウェアラブル・デバイスにおける生理学的感知のためのコンピュータによって実施される方法であって、
プロセッサを使用して、ユーザのための多面的フィードバックを生成することを備え、前記多面的フィードバックを生成することが、
ユーザのためのベースライン生理学的サンプリング・スケジュールを生成すること、
前記ユーザの品質を意識したフィードバックを生成すること、
前記ユーザのユーザ状態を意識したフィードバックを生成すること、および
前記ユーザのコンテキストを意識したフィードバックを生成することを備え、方法が、
前記プロセッサを使用して、少なくとも部分的に前記多面的フィードバックに基づいて、前記ユーザのための調整された生理学的サンプリング・スケジュールを生成することをさらに備える方法。
【請求項９】
前記多面的フィードバックを生成することが、前記ユーザのエネルギーを意識したフィードバックを生成することを備える、請求項８に記載のコンピュータによって実施される方法。
【請求項１０】
前記品質を意識したフィードバックを生成することが、
前記ウェアラブル・デバイス上の生理学的センサから活性表示を受信すること、
前記ウェアラブル・デバイスからリアルタイムの低電力動きセンサ・データを受信すること、
少なくとも部分的に前記リアルタイムの低電力動きセンサ・データに基づいて前記生理学的センサに関する干渉レベル推定を生成すること、および
前記干渉レベル推定を干渉閾値と比較することを備える、請求項８および９に記載のコンピュータによって実施される方法。
【請求項１１】
前記比較に応答して生理学的感知を低減することをさらに備える請求項１０に記載のコンピュータによって実施される方法。
【請求項１２】
前記ユーザ状態を意識したフィードバックを生成することが、
ベースライン・ユーザ状態緊急性判定を受信すること、
前記ウェアラブル・デバイスの生理学的センサから生理学的データを受信すること、
少なくとも部分的に前記生理学的データに基づいてユーザ状態緊急性判定を生成すること、および
前記ユーザ状態緊急性判定を前記ベースライン・ユーザ状態緊急性判定と比較することを備える、請求項８ないし１０のいずれかに記載のコンピュータによって実施される方法。
【請求項１３】
前記比較に応答して生理学的感知頻度または生理学的感知持続時間を変更することをさらに備える請求項１２に記載のコンピュータによって実施される方法。
【請求項１４】
前記コンテキストを意識したフィードバックを生成することが、
ベースライン・コンテキスト・ベースの緊急性判定を受信すること、
コンテキスト・データを受信すること、
少なくとも部分的に生理学的データに基づいてコンテキスト・ベースの緊急性判定を生成すること、および
前記コンテキスト・ベースの緊急性判定を前記ベースライン・コンテキスト・ベースの緊急性判定と比較することを備える、請求項８に記載のコンピュータによって実施される方法。
【請求項１５】
請求項１〜１４の何れか１項に記載の方法の各ステップをコンピュータに実行させる、コンピュータ・プログラム。
【請求項１６】
複数のセンサと、ユーザ・インターフェースと、多面的サンプリング調整センタを備える、ウェアラブル・デバイスにおける生理学的感知のためのシステムであって、請求項１〜１４の何れか１項に記載の方法の各ステップを、コンピュータ・ハードウェアによる手段として構成した、システム。
【請求項１７】
前記多面的サンプリング調整センタが、エネルギーを意識したフィードバック・モジュールをさらに備える、請求項１６に記載のシステム。
【請求項１８】
生理学的解析モジュールをさらに備える、請求項１６に記載のシステム。
【請求項１９】
生理学的解析が、クラウド環境におけるサービスとして提供される、請求項１６に記載のシステム。
【請求項２０】
前記複数のセンサが、加速度計を備える、請求項１６に記載のシステム。
【請求項２１】
前記複数のセンサが、生理学的センサを備える、請求項１６に記載のシステム。
【請求項２２】
コンテキスト・シンセサイザ、常時オンの干渉評価モジュール、および生理学的状態感知モジュールと通信状態にあるサンプリング調整センタを備える、ウェアラブル・デバイスにおける生理学的感知のためのシステム。
【請求項２３】
前記常時オンの干渉評価モジュールが、低電力センサを備える、請求項２２に記載のシステム。
【請求項２４】
前記生理学的状態感知モジュールが、生理学的センサを備える、請求項２２に記載のシステム。
【請求項２５】
前記サンプリング調整センタと通信状態にある電力ポリシー・プロファイル・モジュールをさらに備える請求項２２に記載のシステム。